(57)【要約】【課題】磁界強度を落とすことなくオーバーライト特性（ＯＷ）を確保しながら磁界傾度を改善させ、ｄＰＷ５０およびＳＮの改善を図った垂直記録用磁気ヘッド及びディスク装置を提供することにある。【解決手段】主磁極と、この主磁極に接触して配置されるリターンヨークと、主磁極とリターンヨークの間に配置される励磁コイルを有する磁気ヘッドに、主磁極あるいはリターンヨークから磁気的に独立して当該主磁極の近傍にトレーリング側磁極を配置することで、磁界強度を落とすことなくオーバーライト特性（ＯＷ）を確保しながら磁界傾度を改善させ、ｄＰＷ５０およびＳＮの改善させた垂直記録用磁気ヘッド及びディスク装置を提供する。【選択図】      図２
2004326972.tif 000002
【特許請求の範囲】
【請求項１】
軟磁性層および垂直異方性を示す磁性体から構成された垂直記録層から成る垂直２層媒体と、
主磁極、リターンヨーク、励磁コイルと前記主磁極あるいは前記リターンヨークから磁気的に独立したトレーリング側磁極とから成る磁気抵抗効果型ヘッドと
を有することを特徴とする磁気ディスク装置。
【請求項２】
前記磁気抵抗効果型ヘッドは、前記トレーリング側磁極の主磁極側側面の高さをＴｈ、前記主磁極から前記トレーリング側磁極までの距離をＴｓとした場合に、
０．５  ≦  Ｔｈ／Ｔｓ  ＜  ３．２
を満たす形状であることを特徴とする請求項１記載の磁気ディスク装置。
【請求項３】
主磁極と、
前記主磁極に接触して配置されるリターンヨークと、
前記主磁極と前記リターンヨークの間に配置される励磁コイルと、
前記主磁極あるいはリターンヨークから磁気的に独立し、前記主磁極近傍に配置されたトレーリング側磁極と
を有することを特徴とする磁気ヘッド。
【請求項４】
前記トレーリング側磁極の主磁極側側面の高さをＴｈ、前記主磁極から前記トレーリング側磁極までの距離をＴｓとした場合に、
０．５  ≦  Ｔｈ／Ｔｓ  ＜  ３．２
を満たす形状であることを特徴とする請求項３記載の磁気ヘッド。
【請求項５】
前記磁気抵抗効果型ヘッドは、前記トレーリング側磁極の主磁極側側面の高さをＴｈ、前記主磁極から前記トレーリング側磁極までの距離をＴｓ、前記主磁極と前記軟磁性層までの距離をｓとした場合、
Ｔｈ／ｓ  ＜  ２０
Ｔｓ／ｓ  ＜  ３．５
を同時に満たす
ことを特徴とする請求項１記載の磁気ディスク装置。
【請求項６】
前記磁気抵抗効果型ヘッドは、前記トレーリング側磁極の主磁極側側面の高さをＴｈ、前記主磁極から前記トレーリング側磁極までの距離をＴｓ、前記主磁極と前記軟磁性層までの距離をｓとした場合、
Ｔｈ／ｓ  ＜  ２０
Ｔｓ／ｓ  ＜  ３．５
を同時に満たすとともに、
前記トレーリング側磁極の前記主磁極遠端部の高さｈが、前記リターンヨークの高さの２倍以下である
ことを特徴とする請求項１記載の磁気ディスク装置。
【請求項７】
前記磁気抵抗効果型ヘッドは、前記トレーリング側磁極が前記垂直２層媒体表面に対向するリセスを有し、前記垂直２層媒体表面側端部からのリセス量が、前記垂直２層媒体に設けられた前記軟磁性層表面までの距離の２０倍よりも小さい
ことを特徴とする請求項１記載の磁気ディスク装置。
【請求項８】
軟磁性層および垂直異方性を示す磁性体から構成された垂直記録層から成る垂直２層媒体と、
主磁極、励磁コイル、リターンヨークを有する磁気抵抗効果型ヘッドであって、前記リターンヨークは、前記主磁極のトレーリング側に前記主磁極と磁気的に連結され、前記主磁極側の側面の高さをＲＴｈ、前記主磁極から前記リターンヨークまでの距離をＲＴｓとした場合に、
１  ＜  ＲＴｈ／ＲＴｓ  ＜  ２
を満たす形状であることを特徴とする磁気ディスク装置。
【請求項９】
主磁極、励磁コイル、リターンヨークを有する磁気抵抗効果型ヘッドであって、前記リターンヨークは、前記主磁極のトレーリング側に前記主磁極と磁気的に連結され、前記主磁極側の側面の高さをＲＴｈ、前記主磁極から前記リターンヨークまでの距離をＲＴｓとした場合に、
１  ＜  ＲＴｈ／ＲＴｓ  ＜  ２
を満たす形状であることを特徴とする磁気ヘッド。
【発明の詳細な説明】
【０００１】
【発明の属する技術分野】
本発明は、ディスク装置のヘッド構造に関し、特に垂直記録用磁気ヘッド及び及びこのヘッドを用いた磁気ディスク装置に関する。
【０００２】
【従来の技術】
情報記録再生装置のひとつである磁気ディスク装置、特にハードディスク装置（以下、ＨＤＤと称する）は、主にパーソナルコンピュータに使用されてきたが、最近では、その使用範囲が拡大し、オーディオビジュアル機器（ＡＶ機器）やカーナビゲーションなどの車載機器として使用されるようになってきた。ＨＤＤの記憶容量は益々増大の要求があり、そのための高記録密度を達成するために垂直記録方式が提案されてきている。
【０００３】
一般的に、垂直記録方式のディスク装置には、垂直記録用磁気ヘッドとして単磁極ヘッドが用いられるが、この単磁極ヘッドと垂直２層媒体との磁気的カップリング状態を用いて記録を行っており、磁化転移のシャープネス（急峻さ）は主磁極のトレーリング側の磁界傾度によって決まる。従って、この磁界傾度を改善することでｄＰＷ５０狭小化、ＳＮ改善を改善することができる。また、高ＢＰＩ、高ＴＰＩを図るために主磁極サイズは急進的に小さくなっており、例えば２００ｋＴＰＩを実現するためのトラック幅は０．１μｍ以下になると想定されている。主磁極サイズの低下に伴ない磁界強度の劣化が見られ、ＯＷ（オーバーライト特性）を確保するためにも磁界強度は高いことが望まれる。
【０００４】
そこで、上述のような磁界傾度を改善する技術として特開２００１−１０１６１２号公報や特開２００１−２６６３１０号公報に記載された磁気ヘッドの構造が提案されている。
【０００５】
これら先行技術には、具体的にはトレーリング側から補助磁極、主磁極、磁気ヨークの順に配置することで磁気ヘッドから放出される磁界強度の分布をトレーリング側において急峻にし、記録ビットの転移領域を縮小させ、記録分解能の向上を図るもことが開示されている（特開２００１−１０１６１２号公報）。また、第１の磁性層の磁極部分と第２の磁性層の磁極部分がギャップ部を介して接近て配置されるとともに、第２の磁性層の磁極部分の媒体対向面の側面が媒体対向面から離れて配置されることにより、製造が容易で記録の高密度化を図るヘッド構造が開示されている（特開２００１−２６６３１０号公報）。
【０００６】
【特許文献１】
特開２００１−１０１６１２号公報（図１、要約）
【特許文献２】
特開２００１−２６６３１０号公報（図４、要約）
【０００７】
【発明が解決しようとする課題】
しかし、補助磁極、主磁極、磁気ヨークの順に配置するようなヘッド構造を取っても、磁気ヨークの配置の仕方によっては磁界強度が落ちてしまうことがあり、磁界強度を劣化させずに磁界傾度を改善するための磁気ヨークの配置の仕方に関して規定する必要が生じてきた。また、トレーリング側にリターンヨークを単に配置しリターンヨークと主磁極間を狭くして、その奥行き方向でリターンヨークと主磁極間に励磁コイルを配置するしても、主磁極側がせり出した状態となり、主磁極サイズを小さくするという技術的トレンドに反して不利となることが考えられる。
【０００８】
そこで、本発明の目的は、磁界強度を落とすことなく、すなわちオーバーライト特性（ＯＷ）を確保しながら磁界傾度を改善させ、ｄＰＷ５０およびＳＮの改善を図った垂直記録用磁気ヘッド及びディスク装置を提供することを目的とする。
【０００９】
【課題を解決するための手段】
上記目的を達成するため、本発明に係る垂直記録用磁気ヘッドは、主磁極と、前記主磁極に接触して配置されるリターンヨークと、前記主磁極と前記リターンヨークの間に配置される励磁コイルと、前記主磁極あるいはリターンヨークから磁気的に独立し、前記主磁極近傍に配置されたトレーリング側磁極とを有することを特徴とするものである。
【００１０】
また、本発明に係る垂直記録用ディスク装置は、軟磁性層および垂直異方性を示す磁性体から構成された垂直記録層から成る垂直２層媒体と、主磁極、リターンヨーク、励磁コイルと前記主磁極あるいは前記リターンヨークから磁気的に独立したトレーリング側磁極とから成る磁気抵抗効果型ヘッドとを有することを特徴とするものである。
【００１１】
このように、主磁極あるいはリターンヨークから磁気的に独立し、この主磁極近傍にトレーリング側磁極を配置することで、磁気ヘッドからの軟磁性層に流れる磁界強度分布がトレーリング側において急峻にすることが出来き、これにより磁界傾度が改善するため、ｄＰＷ５０を狭小化でき、ＳＮの改善を図ることが出来る垂直記録用磁気ヘッド及び垂直記録用ディスク装置を提供することが可能となる。
【００１２】
【発明の実施の形態】
以下、図面を参照しながら、この発明をディスク装置として磁気ディスク装置に適用した実施の形態について詳細に説明する。
図１に、本発明の実施形態に係るディスク装置として、磁気ディスク装置を例に取りその構成を示す。この磁気ディスク装置は、２枚の固定ディスク３が実装されたハードディスク装置である。２枚の固定ディスク３はスピンドルモータ４に取付けられ、磁気ディスク装置の動作時に所定の回転数で回転するように制御される。この固定ディスクであるディスク記録媒体３は後に詳述するが記録層３３とこの記録層の下部に軟磁性層３２を有し、中心から同心円状に複数のトラックが配置されている。
【００１３】
このハードディスク装置には、後段で詳述する単磁極ヘッドを用いた記録ヘッドとＭＲ素子を用いた再生ヘッドからなる複合型の磁気ヘッド６が搭載されたサスペンションとステンレス製の薄板アームを３体積層したアクチュエータ７と、このアクチュエータ７を駆動するボイスコイルモータ８が設けられている。以上、磁気ディスク装置を構成するメカニズムは筐体内に収容されるものであり、機構部と称する。
【００１４】
筐体は、上蓋であるカバー２と収納容器であるハウジング１により構成され、カバー２はネジ５によってハウジング１に固定され、このハウジング１とカバー２により密閉空間を形成している。なお、カバー２が被せられたハウジング１の内部の密閉度を高めるために、ハウジング１とカバー２とはガスケット（図示せず）を挟んで密接される。
【００１５】
また、このハウジング１とカバー２により構成される筐体の外部、本実施形態においては、筐体のカバー２と反対側に、プリント回路基板１０が配置されている。このプリント回路基板１０には、磁気ディスク装置の機構部である、スピンドルモータ４、磁気ヘッド６、ボイスコイルモータ８等を制御する制御回路（ＩＣ回路）１１や、メモリであるＤＲＡＭ、ハードディスクコントローラ（ＨＤＣ）、サーボ制御回路が実装配線されており、コネクタ１２、１４により筐体内の各機構部と電気的に接続されている。
【００１６】
このプリント回路基板１０は筐体のハウジング１にネジ（図示せず）により固定されるが、その際、プリント回路基板１０に設けられたコネクタ１２は、ハウジング１側に設けられたコネクタ１４と嵌合するように取付けられる。
【００１７】
であるハードディスクドライブに適用した実施の形態について詳細に説明する。
＜第１の実施形態＞
図２は、本発明の第１の実施形態であり、垂直記録方式を採用した垂直磁気ディスク装置に搭載される磁気ヘッド及び磁気記録媒体の構成を示す断面図である。
本実施形態に係る垂直磁気ディスク装置には、図２に示すように垂直磁気異方性を示す垂直記録層３２と後述する垂直磁気ヘッド６の主磁極６１とリターンヨーク６２とともに磁気回路を形成する軟磁性層３１とから成る垂直２層膜媒体３と、その垂直２層膜媒体３に記録再生を行う磁気ヘッドであって、主磁極６１、リターンヨーク６２、励磁コイル６４、トレーリング側磁極６３から成る磁気ヘッドが設けられており、この磁気ヘッドは磁界傾度を高めた構造となっている。
【００１８】
軟磁性層３１を有する垂直２層膜媒体３と単磁極ヘッドである磁気ヘッド６を用いた垂直記録方式においては、磁気ヘッド６と垂直２層膜媒体３との磁気的カップリング状態、すなわち主磁極６１から垂直２層膜媒体３の軟磁性層３１、リ磁気ヘッド６のターンヨーク６２までの磁束の流れを用いて記録を行っている。
【００１９】
ヘッド磁界強度は主磁極６１、リターンヨーク６２の飽和磁束密度と、垂直２層膜媒体３の軟磁性層３１の飽和磁束密度と膜厚、および記録電流などによって決まるが、さらにトレーリング側の磁界傾度を改善することによりＳＮ、ｄＰＷ５０の改善を図ることができる。
【００２０】
本実施形態における磁気ヘッド６のトレーリング側磁極６３の形状に関して図２を用いて詳細に説明する。
図２に示すように本実施形態の磁気ヘッド６においては、主磁極６１とリターンヨーク６２は磁気的に連結され、その間に励磁コイル６４が配置されている。さらに磁気ヘッド６の垂直２層膜媒体３の媒体対向面からみて主磁極６１に対してリターンヨーク６２と反対側に距離Ｔｓだけ離れた位置にトレーリング側磁極６３が配置されている。垂直２層膜媒体３は記録層３２と軟磁性層３１から構成された垂直２層膜媒体３である。
【００２１】
トレーリング側磁極６３は磁気的に独立しており、主磁極６１やリターンヨーク６２と奥行き方向でも連結してはいない。トレーリング側磁極６３を設けることで主磁極６１から垂直２層膜媒体３の軟磁性層３１へ流れる磁束を集中させることが可能となり、これにより磁界傾度を改善することが可能となる。
【００２２】
ここで、図３に本実施形態における磁気ヘッド６と従来の磁気ヘッドの磁界強度と磁界傾度をそれぞれ示し比較する。
図３においてはトレーリング側磁極６３のない従来の磁気ヘッドの結果を点線で、本実施形態の磁気ヘッド６の結果を実線にて示している。
縦軸の磁界強度、磁界傾度はそれぞれトレーリング側磁極６３のない従来ヘッドの結果の最大磁界、メディアＨｃにおける磁界傾度で規格化した値を示している。横軸はオントラック状態におけるヘッド走行方向であり、磁界強度のピークの左側がリーディング側、右側がトレーリング側を示している。磁気ヘッド６のヘッド走行トレーリング側でメディアＨｃにおける磁界傾度が高い方が、磁化転移形状がシャープに形成される。
【００２３】
図３に示すように従来の磁気ヘッドの最大磁界強度が７８０ｋＡ／ｍ（９．７Ｏｅ）であるため、メディアＨｃが４００ｋＡ／ｍ（５ｋＯｅ）である場合には、図３（ａ）の縦軸が０．５１のところで比較すればよい。
【００２４】
この場合、磁界傾度が従来の磁気ヘッドでは０．５であるが、本実施形態の磁気ヘッド６では０．９８であり、従来に比して本実施形態の磁気ヘッド６の磁界傾度は従来に比べ２倍近くと大幅に改善していることがわかる。また、最大磁界強度は、従来の磁気ヘッドに比して本実施形態の磁気ヘッド６の方が０．８倍となっている。
【００２５】
さらに、トレーリング側磁極６３の主磁極６１がわ側面の高さ（Ｔｈ）、主磁極６１からの距離（Ｔｓ）により磁界強度、磁界傾度が異なる。
ここで、トレーリング側磁極６３の主磁極６１がわ側面の高さ（Ｔｈ）と主磁極６１からの距離（Ｔｓ）による磁界強度、磁界傾度の変化を図４に示す。
ここで示すようにトレーリング側磁極６３の主磁極６１がわ側面の高さ（Ｔｈ）は高い方が、また主磁極６１からトレーリング側磁極６３までの距離（Ｔｓ）が近い方が、磁界強度が劣化することがわかる。
【００２６】
ここで図５（ａ）に磁界強度とオーバーライト特性（ＯＷ）との関係を示す。ここで示すオーバーライト特性（ＯＷ）は、高周波数信号の上に低周波数信号を書いて消え残り信号を見たものであり、面内長手記録と異なり、高周波信号の方が記録しやすいという垂直記録特有の性質があるため、このオーバーライト特性（ＯＷ）値を用いている。
【００２７】
図５（ａ）に示すように磁界強度はトレーリング側磁極６３がない場合に比べて８５％以上あればよいことがわかる。
また、図５（ｂ）に磁界強度とｄＰＷ５０の関係を示す。ここで示すようにトレーリング側磁極６３がない場合に比べて磁界強度が１．３倍以上改善することで、ｄＰＷ５０が９０％狭くなるという改善が見られる。
【００２８】
次にトレーリング側磁極６３の主磁極６１がわ側面の高さ（Ｔｈ）と主磁極６１からトレーリング側磁極６３までの距離（Ｔｓ）による磁界強度、磁界傾度を図６に示す。また、図６（ａ）に磁界強度を、図６（ｂ）に磁界傾度を、図６（ｃ）にトレーリング側磁極６３の主磁極６１がわ側面の高さ（Ｔｈ）を主磁極６１からトレーリング側磁極６３までの距離（Ｔｓ）で割ったＴｈ／Ｔｓを示す。
【００２９】
図中網掛けの入っているところが磁界強度、磁界傾度が最適範囲であることを示している。従って、磁界強度と磁界傾度の最適範囲の条件は、垂直２層膜媒体３の軟磁性層３１までの距離をｓとした場合に、
【００３０】
０．５  ≦  Ｔｈ／Ｔｓ  ＜３．２
を満たすことにある。さらに、
Ｔｈ／ｓ  ＜  ２０
Ｔｓ／ｓ  ＜  ３．５
を満たすことが望ましい。さらにトレーリング側磁極６３の全体の高さをｈ、リターンヨーク６２の高さをＲｈとした場合、
ｈ  ＜  ２Ｒｈ
を満たすことが望ましい。
上述のように本実施形態の磁気ヘッド構造によれば、トレーリング側磁極６３によって磁界強度を保ち、かつ磁界傾度を大幅に改善することが可能となる。
次に本実施形態に係る磁気ヘッド６を用いた場合の動作に関し、図７を用いて説明する。
磁気ディスク装置の使用者が任意のデータを磁気ディスク装置に保存する場合、コンピュータ等に相当するホスト１９から所定のデータをハードディスクコントローラ（ＨＤＣ）１８に送出する。ハードディスクコントローラ（ＨＤＣ）１８は磁気ディスク装置におけるデータの記録再生信号を制御する基本となる構成要素である。
【００３１】
ハードディスクコントローラ（ＨＤＣ）１８は信号処理ＩＣへデータ及び制御タイミング等を送出する。信号処理ＩＣは幾つかの機能ブロックによって構成されており、まず、ハードディスクコントローラ（ＨＤＣ）１８より得られたデータをスクランブラー（符号器）１６でランダマイズする。こうして得られた記録データ系列は後段の記録補償器、記録電流アンプ１３を通して磁気ヘッド６内の記録ヘッドへ送られ、記録ヘッドと磁気ディスク媒体（垂直２層膜媒体）３との間の磁気的結合により磁気ディスク媒体（垂直２層膜媒体）３上の磁化パターンとして記録される。
【００３２】
再生時においては、磁気ヘッド６内の再生ヘッドが磁気ディスク媒体（垂直２層膜媒体）３からピックアップした磁化信号を電気信号として再生アンプ（プリアンプ）１４で増幅し、後段のＡＧＣアンプ１５にて所定の振幅値に増幅調整する。再生信号はフィルタ等の等化器２０を通り、予め設定された信号処理ＩＣの等化クラス（例えば、ＥＥＰＲ４）に合わせて等化処理が実施される。等化信号は符号器１６の逆過程である復号器２１、２２によって復号され、再生データ系列としてハードディスクコントローラ（ＨＤＣ）１８に送り返される。
【００３３】
上述の第１の実施形態においては磁界傾度改善のために配するトレーリング側磁極６３の形状を規定したが、主磁極６１の磁束を更に高めるために、リターンヨーク側６２に補助磁極を設けてもよい。
【００３４】
＜第２の実施形態＞
上述の第１の実施形態では、磁界傾度改善のために配するトレーリング側磁極６３の形状規定を示したが、第２の実施形態ではさらにトレーリング側磁極６３と垂直２層膜媒体３の軟磁性層３１の距離が主磁極６１と軟磁性層３１までの距離に比べて大きくなる場合に、すなわち垂直２層膜媒体３の表面から離れる方向にリセスしていた場合でも磁界傾度改善効果を得ることができる磁気ヘッド６の構造を提案する。
【００３５】
図９は本実施形態における磁気ヘッド６のリセス量と磁界強度、磁界傾度の関係を示している。磁界強度、磁界傾度はそれぞれトレーリング側磁極６３が無い場合の最大磁界強度、メディアＨｃにおける磁界傾度の値で規格化した値を示している。リセス量が大きくなると磁界強度は良くなるが磁界傾度が悪くなる。これにより磁界強度が、トレーリング側磁極６３が無い場合に比べて８５％以上、磁界傾度が１．３倍以上を満たす範囲が有効となる。すなわち、トレーリング側磁極６３のリセス量をＴｒ、主磁極１から軟磁性層３１までの距離をｓとした場合に、
【００３６】
Ｔｒ／ｓ  ＜  ２０
である。
次に本実施形態に係る磁気ヘッド６の構成に関し、図８を用いて説明する。トレーリング側磁極６３の位置で点線で示したように磁気ヘッド６の磁気ディスク媒体である垂直２層膜媒体３の対向面から見たときに主磁極６１から離れている部分の方がリセス量が大きくなる場合でも効果が得られる。この場合も最大リセス量をＴｒとして場合、
【００３７】
Ｔｒ／ｓ  ＜  ２０
を満たすものとする。
＜第３の実施形態＞
上述の第１の実施形態では、磁界傾度改善のために配するトレーリング側磁極６３の形状規定を示したが、第３の実施形態ではさらにトレーリング側磁極６３をトレーリングヨークとすることでも同様に磁界傾度を大幅に改善することができる。
【００３８】
本実施形態の磁気ヘッド６の形状に関し、図１０を用いて説明する。本実施形態の特徴はトレーリング側リターンヨーク６４を設けた点にある。
図１０に示すように、主磁極６１と磁気的に連結され、磁気ヘッド６の磁気ディスク媒体である垂直２層膜媒体３との対向面において主磁極６１から距離ＲＴｓだけ離れた位置にトレーリング側リターンヨーク６４が配置されている。トレーリング側リターンヨーク６４は低飽和磁束密度材で構成されている。トレーリング側リターンヨーク６４の主磁極６１との対向面の側面の高さをＲＴｈ、主磁極６１からの距離をＲＴｓとした場合、磁界強度はＲＴｈが高い程、また主磁極６１からの距離ＲＴｓが小さい、すなわちトレーリング側リターンヨーク６４が近づく程劣化する。また、磁界傾度は主磁極６１からの距離ＲＴｓが大きい程劣化する。
【００３９】
この結果を図１１に示す。図１１に示した値は磁界強度、磁界傾度をそれぞれ従来の磁気ヘッド、すなわちリターンヨーク６２、励磁コイル６４、主磁極６１の順に配置され、リーディング側にリターンヨーク６２が配置されている構造の磁気ヘッドの最大磁界、メディアＨｃにおける磁界強度の値を規格化した値を示している。
【００４０】
これにより、磁界強度が従来の磁気ヘッドの８５％以上、磁界傾度が１．３倍以上となる条件は、
１  ＜  ＲＴｈ／ＲＴｓ  ＜  ２
を満たすことである。さらに、主磁極６１から垂直２層膜媒体３の軟磁性層３１までの距離をｓとした場合に、
ＲＴｈ／ｓ  ＜  １０
ＲＴｓ／ｓ  ＜  ３．５
を満たすことが望ましい。
上述の条件を満たす形状の磁気ヘッド６であれば、磁界強度を落とすことなく、磁界傾度の改善を図ることが可能となる。また、上述した第３の実施形態に係る磁気ヘッド６の構成において、主磁極６１からの磁束をさらに高めるために、主磁極６１のリーディング側に補助磁極を設けてもよい。
【００４１】
【発明の効果】
以上詳述したように本発明によれば、垂直２層記録の磁気ディスク装置において、記録磁気ヘッドとして主磁極、リターンヨークから磁気的に独立したトレーリング側磁極を配した磁気ヘッドを用いることで、磁気ヘッドからの軟磁性層に流れる磁界強度分布がトレーリング側において急峻にすることができ、これにより磁界傾度が改善でき、ｄＰＷ５０の狭小化、ＳＮの改善を図った垂直記録用磁気ヘッド及びディスク装置を提供することが可能となる。
【図面の簡単な説明】
【図１】本発明の実施形態に係る磁気ディスク装置の構造を説明する分解斜視図。
【図２】本発明の第１の実施形態に係る磁気ヘッドと垂直２層膜媒体の構造を示す側面図。
【図３】本発明の第１の実施形態に係る磁気ヘッドと従来の磁気ヘッドの磁界強度と磁界傾度示すグラフ。
【図４】本発明の第１の実施形態に係るトレーリング側磁極の主磁極がわ側面の高さ（Ｔｈ）と主磁極からの距離（Ｔｓ）による磁界強度、磁界傾度の変化を示すグラフ。
【図５】本発明の第１の実施形態に係る磁界強度とオーバーライト特性（ＯＷ）との関係（ａ）、磁界傾度とｄＰＷ５０の関係（ｂ）を示すグラフ。
【図６】本発明の第１の実施形態に係るトレーリング側磁極の主磁極がわ側面の高さ（Ｔｈ）と主磁極からトレーリング側磁極までの距離（Ｔｓ）による磁界強度（ａ）、磁界傾度（ｂ）及びＴｈ／Ｔｓを示す表。
【図７】本発明の第１の実施形態に係る磁気ヘッドを用いた場合の記録再生動作を説明するブロック図。
【図８】本発明の第２の実施形態に係る磁気ヘッドと垂直２層膜媒体の構造を示す側面図。
【図９】本発明の第２の実施形態に係る磁気ヘッドのリセス量と磁界強度、磁界傾度の関係を示すグラフ。
【図１０】本発明の第３の実施形態に係る磁気ヘッドと垂直２層膜媒体の構造を示す側面図。
【図１１】本発明の第３の実施形態に係るトレーリング側リターンヨークの主磁極との対向面の側面の高さ（ＲＴｈ）と主磁極からの距離（ＲＴｓ）による磁界強度（ａ）、磁界傾度（ｂ）及びＲＴｈ／ＲＴｓを示す表。
【符号の説明】
１………ケース
２………カバー
３………ディスク記録媒体
３１……軟磁性層
３２……磁気記録膜
４………スピンドルモータ
６………磁気ヘッド
６１……主磁極
６２……リターンヨーク
６３……トレーリング側磁極
６４……コイル
７………アーム
８………ボイスコイルモータ
１０……回路基板ユニット
１１……ＩＣチップ
１２……コネクタ
１３……記録アンプ
１４……再生アンプ
１５……ＡＧＣアンプ
１６……スクランブラ−（符号器）
１８……ハードディスクコントローラ（ＨＤＣ）
１９……ホストＰＣ
２０……等化器
２１、２２……復号器
【図１】
2004326972.tif 000003
【図２】
2004326972.tif 000004
【図３】
2004326972.tif 000005
【図４】
2004326972.tif 000006
【図５】
2004326972.tif 000007
【図６】
2004326972.tif 000008
【図７】
2004326972.tif 000009
【図８】
2004326972.tif 000010
【図９】
2004326972.tif 000011
【図１０】
2004326972.tif 000012
【図１１】
2004326972.tif 000013